(57)【要約】      （修正有）【課題】柄に糊を付着しにくくするとともに、柄に糊が付着した場合でも、糊の剥がし易い柄を備えたカッターナイフを提供すること。【解決手段】スライド溝８を設けた案内柄２を把持柄１３の内側に挿嵌して把持柄１３の頭端部１３ａから突出させたホルダ１を備えている。このスライド溝８を案内柄２の頭端部２ａで刃体出入口１０により開放し、このスライド溝８にスライダ２３を嵌め込んでスライド溝８の延設方向に沿って移動可能に支持している。このスライド溝８でスライダ２３に連結した刃体２４がスライド溝８の刃体出入口１０から突出する使用状態とスライド溝８に収容される不使用状態とを取る。少なくともこの案内柄２の頭端部２ａとこの把持柄１３の頭端部１３ａとの間で、案内柄２の露出外面全部及び案内柄２のスライド溝８の露出内面全部にフッ素樹脂コーティングを施している。【選択図】図１
2007236849.tif 000002
【特許請求の範囲】
【請求項１】
スライド溝を設けた案内柄を把持柄の内側に挿嵌して把持柄の頭端部から突出させたホルダを備え、このスライド溝を案内柄の頭端部で刃体出入口により開放し、このスライド溝にスライダを嵌め込んでスライド溝の延設方向に沿って移動可能に支持し、このスライド溝でスライダに連結した刃体がスライド溝の刃体出入口から突出する使用状態とスライド溝に収容される不使用状態とを取るカッターナイフにおいて、この案内柄の頭端部とこの把持柄の頭端部との間で案内柄の露出外面にフッ素樹脂コーティングを施したことを特徴とするカッターナイフ。
【請求項２】
案内柄にスライド溝を設けるとともにその案内柄の外面を把持面としたホルダを備え、このスライド溝を案内柄の頭端部で刃体出入口により開放し、このスライド溝にスライダを嵌め込んでスライド溝の延設方向に沿って移動可能に支持し、このスライド溝でスライダに連結した刃体がスライド溝の刃体出入口から突出する使用状態とスライド溝に収容される不使用状態とを取るカッターナイフにおいて、この案内柄の頭端部とその頭端部に対し反対側になる案内柄の尻端部との間の中央部と案内柄の頭端部との間の前半部と、その中央部と案内柄の尻端部との間の後半部とのうち、案内柄の前半部の露出外面にフッ素樹脂コーティングを施したことを特徴とするカッターナイフ。
【請求項３】
柄の頭端部から刃体が突出するとともにその柄の外面を把持面としたホルダを備えたカッターナイフにおいて、この柄の頭端部とその頭端部に対し反対側になる柄の尻端部との間の中央部と柄の頭端部との間の前半部と、その中央部と柄の尻端部との間の後半部とのうち、柄の前半部の露出外面にフッ素樹脂コーティングを施したことを特徴とするカッターナイフ。
【発明の詳細な説明】
【技術分野】
【０００１】
本発明はカッターナイフに関するものである。
【背景技術】
【０００２】
従来、下記特許文献１にかかるカッターナイフにおいては、スライド溝を設けた案内柄を把持柄の内側に挿嵌して把持柄の頭端部から突出させたホルダを備えている。このスライド溝を案内柄の頭端部で刃体出入口により開放し、このスライド溝にスライダを嵌め込んでスライド溝の延設方向に沿って移動可能に支持している。このスライド溝でスライダに連結した刃体がスライド溝の刃体出入口から突出する使用状態とスライド溝に収容される不使用状態とを取る。また、上記カッターナイフのホルダ以外にも、そのホルダで把持柄を省略してその把持柄に代えて案内柄の外面を把持面としたホルダや、柄の頭端部から刃体を出し入れさせずに固定状態で突出させてその柄の外面を把持面としたホルダなどが知られている。
【特許文献１】特開平６−１５４４３１号公報
【発明の開示】
【発明が解決しようとする課題】
【０００３】
壁紙等を貼る際に、上記特許文献１などのカッターナイフを使用すると、糊の付いた指が柄の露出外面特に柄の頭端部付近の外面に触れたり、柄の露出外面が壁紙等に触れたりするため、その露出外面に糊が付着するおそれがある。
【０００４】
この発明は、カッターナイフのホルダにおいて柄に糊を付着しにくくするとともに柄に付着した糊を剥がし易くすることを目的としている。
【課題を解決するための手段】
【０００５】
後記実施形態の図面（図１，３，４，５，６に示す第１実施形態、図２，３，６に示す第２実施形態）の符号を援用して本発明を説明する。
請求項１の発明に係るカッターナイフは、第１実施形態に対応し、下記のように構成されている。
【０００６】
スライド溝８を設けた案内柄２を把持柄１３の内側に挿嵌して把持柄１３の頭端部１３ａから突出させたホルダ１を備えている。このスライド溝８を案内柄２の頭端部２ａで刃体出入口１０により開放している。このスライド溝８にスライダ２３を嵌め込んでスライド溝８の延設方向に沿って移動可能に支持している。このスライド溝８でスライダ２３に連結した刃体２４がスライド溝８の刃体出入口１０から突出する使用状態とスライド溝８に収容される不使用状態とを取る。この案内柄２の頭端部２ａとこの把持柄１３の頭端部１３ａとの間で案内柄２の露出外面にすなわちその全部または一部にフッ素樹脂コーティングによる被覆層Ｍを設けている。
【０００７】
請求項１の発明では、壁紙等を貼る際にカッターナイフを使用する場合、通常は案内柄２の頭端部２ａと把持柄１３の頭端部１３ａとの間で案内柄２の露出外面を指により触れたり、その露出外面が壁紙等に触れたりするため、その露出外面に糊が付着し易いが、フッ素樹脂コーティングの機能により、その露出外面に糊を付着しにくくするとともに、その露出外面の糊を剥がし易い。ちなみに、刃体２４は適宜交換することもできるが、ホルダ１は刃体の交換に関係なく使い回されるため、案内柄２に糊を付着させない方が好ましく、案内柄２にフッ素樹脂コーティングを施すことは有効である。
【０００８】
請求項２の発明に係るカッターナイフは、第２実施形態に対応し、下記のように構成されている。
案内柄２にスライド溝８を設けるとともにその案内柄２の外面を把持面としたホルダ１を備えている。このスライド溝８を案内柄２の頭端部２ａで刃体出入口１０により開放している。このスライド溝８にスライダ２３を嵌め込んでスライド溝８の延設方向に沿って移動可能に支持している。このスライド溝８でスライダ２３に連結した刃体２４がスライド溝８の刃体出入口１０から突出する使用状態とスライド溝８に収容される不使用状態とを取る。この案内柄２の頭端部２ａとその頭端部２ａに対し反対側になる案内柄２の尻端部２ｂとの間の中央部と案内柄２の頭端部２ａとの間の前半部２Ｆと、その中央部と案内柄２の尻端部２ｂとの間の後半部２Ｂとのうち、案内柄２の前半部２Ｆの露出外面にすなわちその全部または一部にフッ素樹脂コーティングによる被覆層Ｍを設けている。
【０００９】
請求項２の発明では、壁紙等を貼る際にカッターナイフを使用する場合、通常は案内柄２の前半部２Ｆの露出外面を指により触れたり、その露出外面が壁紙等に触れたりするため、その露出外面に糊が付着し易いが、フッ素樹脂コーティングの機能により、その露出外面に糊を付着しにくくするとともに、その露出外面の糊を剥がし易い。ちなみに、刃体２４は適宜交換することもできるが、ホルダ１は刃体の交換に関係なく使い回されるため、案内柄２に糊を付着させない方が好ましく、案内柄２にフッ素樹脂コーティングを施すことは有効である。
【００１０】
請求項３の発明に係るカッターナイフは、第２実施形態に対応し、下記のように構成されている。
柄２の頭端部２ａから刃体２４が突出するとともにその柄２の外面を把持面としたホルダ１を備えている。この柄２の頭端部２ａとその頭端部２ａに対し反対側になる柄２の尻端部２ｂとの間の中央部と柄２の頭端部２ａとの間の前半部２Ｆと、その中央部と柄２の尻端部２ｂとの間の後半部２Ｂとのうち、柄２の前半部２Ｆの露出外面にすなわちその全部または一部にフッ素樹脂コーティングによる被覆層Ｍを設けている。
【００１１】
請求項３の発明では、壁紙等を貼る際にカッターナイフを使用する場合、通常は柄２の前半部２Ｆの露出外面を指により触れたり、その露出外面が壁紙等に触れたりするため、その露出外面に糊が付着し易いが、フッ素樹脂コーティングの機能により、その露出外面に糊を付着しにくくするとともに、その露出外面の糊を剥がし易い。
【発明の効果】
【００１２】
本発明は、カッターナイフのホルダ１において柄２に糊を付着しにくくするとともに柄２に付着した糊を剥がし易くすることができる。
【発明を実施するための最良の形態】
【００１３】
まず、本発明の第１実施形態にかかるカッターナイフについて図１，３，４，５，６を参照して説明する。
図１に示すカッターナイフのホルダ１において案内柄２は、ステンレス等の金属により成形され、図３，６に示すように、頭端部２ａから尻端部２ｂにわたり延設された裏壁部３と、この裏壁部３の上下両縁部から表側へ延びる上下両壁部４，５と、表側でこの上下両壁部４，５から相対向して延びる上下両表壁部６，７とを備えている。この案内柄２の内側にはスライド溝８が頭端部２ａから尻端部２ｂにわたり形成されている。このスライド溝８は、表側で上下両表壁部６，７間の案内孔９により開放され、頭端部２ａで刃体出入口１０により開放されているとともに、尻端部２ｂで挿脱口１１により開放されている。この案内孔９において上下両表壁部６，７の相対向両内縁部６ａ，７ａのうち下側の内縁部７ａの中間部には凹凸状の係止部１２が頭端部２ａ側寄り位置から尻端部２ｂ側寄り位置にわたり形成されている。
【００１４】
図３，６に示す案内柄２において、その外面全部（裏壁部３の外面全部と上下両壁部４，５の外面全部と上下両表壁部６，７の外面全部）や、そのスライド溝８の内面全部（裏壁部３の内面全部と上下両壁部４，５の内面全部と上下両表壁部６，７の内面全部）には、耐摩耗性を向上させるためにセラミック粉を混ぜたフッ素樹脂コーティングが施されている。そのため、案内柄２の主体をなす金属の外面全部及び内面全部がフッ素樹脂コーティングからなる被覆層Ｍにより覆われている。ちなみに、この被覆層Ｍの膜厚は、０．１〜８００μｍ好ましくは１０〜３００μｍに設定することができる。この案内柄２の色については、黒色になっているが、赤色や緑色や青色など種々の色を選択することができ、後記把持柄１３の色と同じでも異なっていてもよい。被覆層Ｍを透明または半透明にすれば、案内柄２においてステンレス等の金属により成形された下地の金属色を生かすことができる。被覆層Ｍに顔料を入れれば、被覆層Ｍの色を調整することができる。
【００１５】
図１に示すカッターナイフのホルダ１において把持柄１３は、プラスチックにより成形され、図４に示すように、頭端部１３ａから尻端部１３ｂにわたり延設された裏壁部１４と、この裏壁部１４の上下両縁部から表側へ延びる上下両壁部１５，１６と、表側でこの上下両壁部１５，１６から相対向して延びる上下両表壁部１７，１８とを備えている。この把持柄１３の内側には嵌着溝１９が頭端部１３ａから尻端部１３ｂにわたり形成されている。この嵌着溝１９は、表側で上下両表壁部１７，１８間の操作孔２０により開放され、頭端部１３ａで頭口２１により開放されているとともに、尻端部１３ｂで尻口２２により開放されている。
【００１６】
前記案内柄２は図５に示すように把持柄１３の嵌着溝１９に尻口２２側から挿嵌される。案内柄２を把持柄１３に挿嵌した後、図６（ｅ）に示すように、案内柄２の裏壁部３を殴打して突起１３ｃを形成し、把持柄１３の裏壁部１４に形成された凹部１４ａに対しその突起１３ｃを係入して把持柄１３に対する案内柄２の離脱を規制する。なお、この凹部１４ａに代えて裏壁部１４に貫通孔を形成してもよいし、この突起１３ｃに代えて雄ねじにより案内柄２の裏壁部３を把持柄１３の裏壁部１４に取着してもよい。
【００１７】
図１に示すカッターナイフのホルダ１においては、把持柄１３の頭口２１で案内柄２の裏壁部３と上下両壁部４，５と上下両表壁部６，７とがそれぞれ把持柄１３の裏壁部１４と上下両壁部１５，１６と上下両表壁部１７，１８とから突出し、把持柄１３の内側で案内柄２の上下両表壁部６，７がそれぞれ把持柄１３の上下両表壁部１７，１８から突出して案内柄２の案内孔９が把持柄１３の操作孔２０に面する。
【００１８】
このようにして案内柄２を把持柄１３に挿嵌した状態では、案内柄２のスライド溝８の内面全部が露出内面になって被覆層Ｍが露出するが、案内柄２の外面全部のうち、把持柄１３の内側に挿嵌されて把持柄１３により隠された被覆外面以外は、露出外面になって被覆層Ｍが露出する。すなわち、案内柄２の頭端部２ａと把持柄１３の頭端部１３ａとの間で案内柄２の露出外面の全部で被覆層Ｍが露出するとともに、把持柄１３の上下両表壁部１７，１８から突出する案内柄２の上下両表壁部６，７の一部で被覆層Ｍが露出する。
【００１９】
前記案内柄２のスライド溝８にはスライダ２３とそのスライダ２３に連結された刃体２４とが挿脱口１１から嵌め込まれてスライド溝８の延設方向（頭端部２ａと尻端部２ｂとを結ぶ方向）に沿って移動可能に支持されている。スライダ２３を案内孔９に沿って移動させると、スライダ２３内の板ばね２３ａが案内孔９の係止部１２に圧接されながら刃体２４がスライダ２３とともに移動し、刃体２４がスライド溝８の刃体出入口１０から突出する使用状態と、刃体２４がスライド溝８に刃体出入口１０から収容される不使用状態とを取る。スライダ２３と接触するスライド溝８の露出内面にフッ素樹脂コーティングを施しているため、スライダ２３の移動抵抗は小さくなるが、スライダ２３の停止状態ではスライダ２３内の板ばね２３ａが案内孔９の係止部１２に圧接されるため、その停止状態を確実に維持することができる。
【００２０】
壁紙等を貼る際に図１に示すカッターナイフを使用する場合、フッ素樹脂コーティングの機能により、案内柄２の露出外面に糊が付着しにくいとともに、その露出外面の糊を剥がし易い。例えば、糊が十分に乾燥している場合には糊を膜状に剥がすことができ、糊が乾燥せずに粘液状になっている場合には粘液状の糊を露出外面に残さずに拭き取ることができる。なお、前記刃体２４の刃先２４ａについては、図１（ｃ）に示すように、刃先角θ１が５〜１５°に設定されているとともに、刃先角θ２が１７〜３０°に設定されているため、その刃先２４ａが壁紙等にくい込み易くなって糊が刃体２４に付着し易いが、そのような刃体２４が案内柄２のスライド溝８の露出内面に接触しても、フッ素樹脂コーティングの機能により、その露出内面に糊が付着しにくいとともに、その露出内面の糊を剥がし易い。
【００２１】
次に、本発明の第２実施形態にかかるカッターナイフについて第１実施形態との相違点を中心に図２，３，６を参照して説明する。
図２（ａ）（ｂ）に示すカッターナイフのホルダ１においては、第１実施形態の把持柄１３が省略されている点以外、第１実施形態と同様であって、その把持柄１３に代えて案内柄２の外面を把持面としている。
【００２２】
図示しないが、前記実施形態以外にも下記のように構成してもよい。
＊  第１実施形態において、案内柄２の頭端部２ａと把持柄１３の頭端部１３ａとの間で案内柄２の露出外面と案内柄２のスライド溝８の露出内面とのうち、案内柄２の露出外面の全部にのみフッ素樹脂コーティングによる被覆層Ｍを設ける。または、案内柄２の露出外面のうちその一部にのみフッ素樹脂コーティングによる被覆層Ｍを設ける。
【００２３】
＊  第１実施形態において、案内柄２の頭端部２ａと把持柄１３の頭端部１３ａとの間で案内柄２の露出外面と案内柄２のスライド溝８の露出内面とのうち、その露出外面の全部及びその露出内面の全部にフッ素樹脂コーティングによる被覆層Ｍを設ける。または、その露出外面の全部及びその露出内面の一部にフッ素樹脂コーティングによる被覆層Ｍを設ける。または、その露出外面の一部及びその露出内面の一部にフッ素樹脂コーティングによる被覆層Ｍを設ける。
【００２４】
＊  第２実施形態にかかるカッターナイフのホルダ１において刃体２４を案内柄２の頭端部２ａから突出させたまま案内柄２に対し固定状態にする。すなわち、柄の頭端部から刃体を出し入れさせずに固定状態で突出させてその柄の外面を把持面とする。
【００２５】
＊  図２，３，６に示す第２実施形態にかかるカッターナイフのホルダ１において、案内柄２の頭端部２ａとその頭端部２ａに対し反対側になる案内柄２の尻端部２ｂとの間の中央部と案内柄２の頭端部２ａとの間の前半部２Ｆと、その中央部と案内柄２の尻端部２ｂとの間の後半部２Ｂとのうち、案内柄２の前半部２Ｆでその露出外面の全部にのみフッ素樹脂コーティングによる被覆層Ｍを設ける。または、案内柄２の前半部２Ｆでその露出外面の一部にのみフッ素樹脂コーティングによる被覆層Ｍを設ける。
【００２６】
＊  図２，３，６に示す第２実施形態にかかるカッターナイフのホルダ１において、案内柄２の前半部２Ｆと案内柄２の後半部２Ｂとのうち、案内柄２の前半部２Ｆでその露出外面の全部及びスライド溝８の露出内面の全部にのみフッ素樹脂コーティングによる被覆層Ｍを設ける。または、その露出外面の全部及びその露出内面の一部にフッ素樹脂コーティングによる被覆層Ｍを設ける。または、その露出外面の一部及びその露出内面の一部にフッ素樹脂コーティングによる被覆層Ｍを設ける。
【００２７】
＊  第１実施形態及び第２実施形態の案内柄２において、その外面の被覆層Ｍの厚みよりもスライド溝８の内面の被覆層Ｍの厚みを薄くする。
＊  第１実施形態及び第２実施形態において、フッ素樹脂コーティングに代えてシリコーン樹脂コーティングを施す。
【００２８】
＊  刃体２４の露出外面にもフッ素樹脂コーティングを施してもよい。
次に、請求項以外の技術的思想について実施形態の図面の符号を援用して説明する。
請求項１の発明を前提とする第４の発明(第１実施形態に対応)において、前記案内柄２の頭端部２ａと前記把持柄１３の頭端部１３ａとの間で案内柄２のスライド溝８の露出内面にもすなわちその全部または一部にもフッ素樹脂コーティングによる被覆層Ｍを設けた。第４の発明では、壁紙等を貼る際にカッターナイフを使用する場合、通常は案内柄２の頭端部２ａと把持柄１３の頭端部１３ａとの間で案内柄２の露出外面を指により触れたり、その露出外面が壁紙等に触れたりするため、その露出外面に糊が付着し易いばかりでなく、刃体２４に付着した糊がそれらの間で案内柄２のスライド溝８の露出内面にも付着するおそれがあるが、フッ素樹脂コーティングの機能により、その露出内面に糊を付着しにくくするとともに、その露出内面の糊を剥がし易い。
【００２９】
請求項１の発明または第４の発明を前提とする第５の発明(第１実施形態に対応)において、前記案内柄２の外面のうち前記把持柄１３の内側に挿嵌されて把持柄１３により隠された被覆外面にすなわちその全部または一部にフッ素樹脂コーティングによる被覆層Ｍを設けた。第５の発明では、フッ素樹脂コーティングの機能により案内柄２を把持柄１３の内側に挿嵌し易い。
【００３０】
請求項２の発明を前提とする第６の発明(第２実施形態に対応)において、前記案内柄２の前半部２Ｆでスライド溝８の露出内面にすなわちその全部または一部にもフッ素樹脂コーティングによる被覆層Ｍを設けた。第６の発明では、壁紙等を貼る際にカッターナイフを使用する場合、通常は案内柄２の前半部２Ｆで案内柄２の露出外面を指により触れたり、その露出外面が壁紙等に触れたりするため、その露出外面に糊が付着し易いばかりでなく、刃体２４に付着した糊がその前半部２Ｆで案内柄２のスライド溝８の露出内面にも付着するおそれがあるが、フッ素樹脂コーティングの機能により、その露出内面に糊を付着しにくくするとともに、その露出内面の糊を剥がし易い。
【００３１】
請求項１または請求項２の発明、または第４の発明または第５の発明または第６の発明を前提とする第７の発明(第１，２実施形態に対応)において、前記案内柄２の外面の全部にフッ素樹脂コーティングによる被覆層Ｍを設けた。第７の発明では、案内柄２においてどの部分の外面に糊が付着しても、フッ素樹脂コーティングの機能により、その露出外面に糊が付着しにくいとともに、その露出外面の糊を剥がし易い。
【００３２】
第７の発明を前提とする第８の発明(第１，２実施形態に対応)において、前記案内柄２のスライド溝８の内面の全部にフッ素樹脂コーティングによる被覆層Ｍを設けた。第８の発明では、案内柄２においてどの部分の内面に糊が付着しても、フッ素樹脂コーティングの機能により、その露出内面に糊を付着しにくくするとともに、その露出内面の糊を剥がし易い。
【００３３】
請求項１または請求項２の発明、または第４の発明または第５の発明または第６の発明または第７の発明または第８の発明を前提とする第９の発明(第１，２実施形態に対応)において、前記案内柄２は金属により成形されている。第９の発明では、金属の案内柄２において糊を付着しにくくするとともに糊を剥がし易い。また、金属の案内柄２は熱の悪影響を受けにくいため、焼成によるコーティング処理を円滑に行うことができる。
【００３４】
請求項１の発明または第４の発明または第５の発明を前提とする第１０の発明(第１実施形態に対応)において、把持柄１３の露出外面は非フッ素樹脂コーティング面になっている。
【００３５】
請求項１または請求項２の発明、または第４の発明または第５の発明または第６の発明または第７の発明または第８の発明または第９の発明または第１０の発明を前提とする第１１の発明(第１，２実施形態に対応)において、スライダ２３の露出外面は非フッ素樹脂コーティング面になっている。
【００３６】
請求項１の発明または第４の発明または第５の発明または第１０の発明を前提とする第１２の発明(第１実施形態に対応)において、把持柄１３は案内柄２と異なる材質からなる。例えば、把持柄１３はプラスチックであり、案内柄２は金属である。
【図面の簡単な説明】
【００３７】
【図１】（ａ）は第１実施形態にかかるカッターナイフを示す正面図であり、（ｂ）は同じく背面図であり、（ｃ）はそのカッターナイフにおける刃先の部分拡大断面図である。
【図２】（ａ）は第２実施形態にかかるカッターナイフを示す正面図であり、（ｂ）は同じく背面図である。
【図３】（ａ）は第１実施形態または第２実施形態にかかるカッターナイフにおいて案内柄を示す正面図であり、（ｂ）は同じく背面図である。
【図４】（ａ）は第１実施形態にかかるカッターナイフにおいて把持柄を示す正面図であり、（ｂ）は同じく背面図である。
【図５】（ａ）は第１実施形態にかかるカッターナイフにおいて案内柄を把持柄に挿嵌する途中状態を示す正面図であり、（ｂ）は同じく挿嵌した状態を示す正面図である。
【図６】（ａ）は図３（ａ）のＡ−Ａ線断面図であり、（ｂ）は図３（ａ）のＢ−Ｂ線断面図であり、（ｃ）は図３（ａ）のＣ−Ｃ線断面図であり、（ｄ）は案内柄のフッ素樹脂コーティング状態を示す部分拡大断面図であり、（ｅ）は図５（ｂ）のＤ−Ｄ線断面図である。
【符号の説明】
【００３８】
１…ホルダ、２…案内柄、２Ｆ…案内柄の前半部、２Ｂ…案内柄の後半部、２ａ…案内柄の頭端部、２ｂ…案内柄の尻端部、８…スライド溝、１０…刃体出入口、１３…把持柄、１３ａ…把持柄の頭端部、２３…スライダ、２４…刃体。
【図１】
2007236849.tif 000003
【図２】
2007236849.tif 000004
【図３】
2007236849.tif 000005
【図４】
2007236849.tif 000006
【図５】
2007236849.tif 000007
【図６】
2007236849.tif 000008